(57)【要約】【課題】この発明は、エスカレータの異常停止が発生した状況を迅速に把握することできるエスカレータの映像監視装置を得る。【解決手段】この発明に係るエスカレータの映像監視装置は、エスカレータ１の異常を検知するスイッチ９，１０‥‥‥と、複数個のカメラ６，７，８と、複数個のレコーダ２２，２３，２４と、エスカレータ１を停止させる制御手段１９と、どのスイッチ９，１０‥‥‥が作動したかを判別する故障検出手段２０と、この故障検出手段２０からの信号により作動したスイッチ９，１０‥‥‥の周囲を撮影した映像を記録したレコーダ２２，２３，２４を選択し、かつこのレコーダ２２，２３，２４にエスカレータ１の異常停止時の前後の映像を記録させる信号を送る映像制御手段２１とを備えている。【選択図】図２
2010222109.tif 000002
【特許請求の範囲】
【請求項１】
乗客コンベアの各部位に設けられ乗客コンベアの異常を検知するスイッチと、
前記乗客コンベアの各前記部位を撮影する複数個のカメラと、
各前記カメラに対応して設けられカメラに撮影された映像をそれぞれ記録する複数個のレコーダと、
前記スイッチからの信号により前記乗客コンベアを停止させる制御手段と、
前記スイッチからの信号によりどのスイッチが作動したかを判別する故障検出手段と、
この故障検出手段からの信号により作動した前記スイッチの周囲を撮影した映像を記録した前記レコーダを選択し、かつこのレコーダに前記乗客コンベアの異常停止時の前後の映像を記録させる信号を送る映像制御手段と
を備えたことを特徴とする乗客コンベアの映像監視装置。
【請求項２】
前記制御手段からの前記信号が送られ、前記乗客コンベアの異常を集中管理する情報センターを備え、
この情報センターからは、前記映像制御手段を通じて前記乗客コンベアの異常停止の前後の記録映像を収集できることを特徴とする請求項１に記載の乗客コンベアの映像監視装置。
【発明の詳細な説明】
【技術分野】
【０００１】
この発明は、例えばエスカレータの異常停止の原因究明に好適な乗客コンベアの映像監視装置に関する。
【背景技術】
【０００２】
従来、乗客コンベアを写す複数のカメラと、このカメラによる映像を表示する複数のモニターと、乗客コンベアの各部に設けられた複数のスイッチと、このスイッチが検知する乗客コンベアの異常を集中管理し、異常の発生した箇所を映すカメラの映像を選択的にモニターに表示させる制御手段とを備えた乗客コンベアの映像監視装置が知られている（例えば、特許文献１参照）。
この乗客コンベアの映像監視装置では、乗客コンベアの要所に設けたカメラの映像をモニターで見て、乗客コンベアの異常停止等の発生時点での状況を把握している。
【先行技術文献】
【特許文献】
【０００３】
【特許文献１】特開平１０−１８７２３０号公報
【発明の概要】
【発明が解決しようとする課題】
【０００４】
しかしながら、上記乗客コンベアの映像監視装置では、カメラにより撮影された映像が記録されるレコーダと乗客コンベアの運行状態とが連動してなく、カメラ乗客コンベアが異常停止した時間帯の映像をレコーダから迅速に取り出すことができず、それだけ乗客コンベアの異常停止の状況把握に時間を要するという問題点があった。
【０００５】
この発明は、上記のような問題点を解決することを課題とするものであって、乗客コンベアの異常停止が発生した状況を迅速に把握することで、異常発生の原因究明における効率が大幅に向上した乗客コンベアの映像監視装置を得ることを目的とする。
【課題を解決するための手段】
【０００６】
この発明に係る乗客コンベアの映像監視装置は、乗客コンベアの各部位に設けられ乗客コンベアの異常を検知するスイッチと、前記乗客コンベアの各前記部位を撮影する複数個のカメラと、各前記カメラに対応して設けられカメラに撮影された映像をそれぞれ記録する複数個のレコーダと、前記スイッチからの信号により前記乗客コンベアを停止させる制御手段と、前記スイッチからの信号によりどのスイッチが作動したかを判別する故障検出手段と、この故障検出手段からの信号により作動した前記スイッチの周囲を撮影した映像を記録した前記レコーダを選択し、かつこのレコーダに前記乗客コンベアの異常停止時の前後の映像を記録させる信号を送る映像制御手段とを備えている。
【発明の効果】
【０００７】
この発明に係る乗客コンベアの映像監視装置によれば、乗客コンベアの異常停止に合わせて、この時間帯の乗客コンベアにおける異常が発生した周囲の映像が自動的に記録されるので、異常が発生した状況を迅速に把握することができ、異常発生の原因究明における効率が大幅に向上する。
【図面の簡単な説明】
【０００８】
【図１】この発明の実施の形態１のエスカレータの映像監視装置を示す概略側面図である。
【図２】図１のエスカレータの映像監視装置の構成を示すブロック図である。
【図３】図１のエスカレータの映像監視装置における信号の流れの説明図である。
【発明を実施するための形態】
【０００９】
以下、この発明の実施の形態の乗客コンベアの映像監視装置について、図に基づいて説明する。
実施の形態１．
図１はこの発明の実施の形態１のエスカレータの映像監視装置を示す概略側面図、図２はエスカレータの映像監視装置の構成を示すブロック図、図３は図１のエスカレータの映像監視装置における信号の流れを示す説明図である。
乗客コンベアであるエスカレータ１は、駆動手段２によって駆動され、スカートガード３に沿って移動するステップ４と、このステップ４と同期して移動する移動手摺５とを備えている。
エスカレータ１は、エスカレータ１の上部を撮影する第１のカメラ６と、エスカレータ１の中間部を撮影する第２のカメラ７と、エスカレータ１の下部を撮影する第３のカメラ８とを備えている。
エスカレータ１のスカートガード３の下縁部には、エスカレータ１の上部から下部に沿って、上部ハンドガードスイッチ９、上部スカートガードスイッチ１０、上部カーブドレールスイッチ１１、中間スカートガードスイッチ１２、下部カーブドレールスイッチ１３、下部スカートガードスイッチ１４及び下部ハンドガードスイッチ１５がそれぞれ取り付けられている。なお、カーブドレールスイッチ１１，１３は、前後のステップ４間の隙間に異物が挟まれたときに作動するスイッチである。
また、エスカレータ１の入口部及び出口部には、スイッチである非常停止釦１６が取り付けられ、中間部には、スイッチである手摺停止釦１７が取り付けられている。
【００１０】
各スイッチ９，１０，１１，１２，１３，１４，１５、各停止釦１６，１７は、エスカレータ１の運転を制御する制御手段１９に電気的に接続されている。
また、各スイッチ９，１０，１１，１２，１３，１４，１５、各停止釦１６，１７は、どのスイッチ９，１０，１１，１２，１３，１４，１５、どの停止釦１６，１７が作動したかを判別する故障検出手段２０に電気的に接続されている。
【００１１】
制御手段１９及び故障検出手段２０は、映像制御手段２１に電気的に接続されている。
この映像制御手段２１は、第１のレコーダ２２、第２のレコーダ２３及び第３のレコーダ２４に電気的に接続されている。
第１のレコーダ２２は、第１のカメラ６に電気的に接続されており、第１のカメラ６により撮影された映像を記録するようになっている。
第２のレコーダ２３は、第２のカメラ７に電気的に接続されており、第２のカメラ７により撮影された映像を記録するようになっている。
第３のレコーダ２４は、第３のカメラ８に電気的に接続されており、第３のカメラ８により撮影された映像を記録するようになっている。
これらのレコーダ２２，２３，２４は、例えばタクシーの車内の様子をカメラで撮影した映像を記録するために用いられるレコーダであり、所定時間毎に上書き記録して常に記録している。
このレコーダは、上書き可能で、比較的小さなメモリタイプのものであり、ハードディスクタイプのものと比較して、システム構成及びメンテナンスが安価である。
【００１２】
また、映像制御手段２１は、映像確認用モニター２８及びモニター２５に電気的に接続されている。エスカレータ監視手段２６は、制御手段１９に電気的に接続されている。エスカレータ監視手段２６は、モニター２５に電気的に接続されている。モニター２５は、公衆回線を介して情報センター２７に接続されている。エスカレータ監視手段２６は、エスカレータ１の異常や運行状態（運転時間等）を監視し、モニター２５を介して情報センター２７にそれらの信号を送るようになっている。
【００１３】
図３から分かるように、第１のレコーダ２２の記録動作は、上部ハンドガードスイッチ９、上部スカートガードスイッチ１０及び上部カーブドレールスイッチ１１の作動に連動する。
第２のレコーダ２３の記録動作は、中間スカートガードスイッチ１２の作動に連動する。
第３のレコーダ２４の記録動作は、下部カーブドレールスイッチ１３、下部スカートガードスイッチ１４及び下部ハンドカードスイッチ１５の作動に連動する。
【００１４】
また、第１の非常停止釦１６の作動は、第１のレコーダ２２及び第３のレコーダ２４の記録動作に連動している。
手摺停止釦１７、制御手段１９及び情報センター２７は、それぞれ第１のレコーダ２２、第２のレコーダ２３及び第３のレコーダ２４の記録動作に連動している。
【００１５】
上記構成のエスカレータの映像監視装置では、例えば、エスカレータ１の上部において、ステップ４とスカートガード３との隙間に異物が挟まれたときには、上部スカートガードスイッチ１０が作動し、この上部スカートガードスイッチ１０からの作動信号が制御手段１９に送信され、この制御手段１９からの信号により、駆動手段２の駆動が停止してエスカレータ１の運転が停止される。
また、上部スカートガードスイッチ１０からの作動信号が制御手段１９に送信されると同時に、その作動信号は、故障検出手段２０にも送られ、この故障検出手段２０では上部スカートガードスイッチ１０が作動したことを判別し、引き続きこの判別信号を映像制御手段２１に送る。この映像制御手段２１は、上部スカートガードスイッチ１０に対応した第１のレコーダ２２に映像記録信号を出す。第１のレコーダ２２は、その映像記録信号を受けて、上部スカートガードスイッチ１０の作動前後の所定の時間については、記録第１のカメラ６により撮影した記録映像が上書きされない。
つまり、エスカレータ１が停止故障した後も引き続き第１のカメラ６により撮影された映像は、第１のレコーダ２２に記録されるも、エスカレータ１が停止した時の前後の時間の映像のレコーダのディスクの領域では、上書きはされず、自動的に第１のレコーダ２２に記録され続ける。
【００１６】
また、第１のレコーダ２２からは、エスカレータ１の運転が停止した前後の時間帯の記録映像が、記録映像信号として、映像制御手段２１及びモニター２５に介して情報センター２７に送られる。
【００１７】
また、例えば、エスカレータ１の運転に異常を感じたときには、例えば第１の非常停止釦１６を押すことで、非常停止釦１６からの作動信号が制御手段１９に送信され、この制御手段１９からの信号により、駆動手段２の駆動が停止してエスカレータ１の運転が停止される。
また、非常停止釦１６からの作動信号が制御手段１９に送信されると同時に、その作動信号は、故障検出手段２０にも送られ、この故障検出手段２０では非常停止釦１６が作動したことを判別し、引き続きこの判別信号を映像制御手段２１に送る。この映像制御手段２１は、非常停止釦１６に対応した第３のレコーダ２４に映像記録指令信号を出す。第３のレコーダ２４は、その映像記録指令信号を受けて、非常停止釦１６の作動前後の所定の時間については、第３のカメラ８により撮影した記録映像が上書きされない。
つまり、エスカレータ１が停止した時の前後の時間の映像は、自動的に第３のレコーダ２４に記録される。
【００１８】
また、第３のレコーダ２４からは、エスカレータ１の運転が停止した前後の時間帯の映像が、映像記録信号として、映像制御手段２１及びモニター２５に介して情報センター２７に送られる。
【００１９】
この実施の形態のエスカレータの映像監視装置によれば、エスカレータ１の異常停止に合わせて、その時間帯のエスカレータ１の映像が自動的にレコーダ２２，２３，２４に記録されるので、異常が発生した状況を迅速に把握することができ、異常発生の原因究明における効率が大幅に向上する。
また、映像制御手段２１では、作動したスイッチ９，１０，１１，１２，１３，１４，１５、釦１６，１７の周囲を撮影したカメラ６，７，８を選択し、その選択されたカメラ６，７，８で撮影したレコーダ２２，２３，２４に映像記録信号が送信されるので、各レコーダ２２，２３，２４には、エスカレータ１の異常停止時前後の映像が効率良く記録される。
また、情報センター２７からは、映像制御手段２１を通じて異常の発生時点の前後の時間帯の記録映像を収集できるので、エスカレータ１の異常発生の原因究明を遠隔地で行うことができる。
【００２０】
なお、上記の実施の形態では、乗客コンベアとしてエスカレータ１の場合について説明したが、この発明は、乗客コンベアである動く歩道にも適用することができる。
【符号の説明】
【００２１】
１  エスカレータ、２  駆動手段、３  スカートガード、４  ステップ、５  移動手摺、６  第１のカメラ、７  第２のカメラ、８  第３のカメラ、９  上部ハンドガードスイッチ、１０  上部スカートガードスイッチ、１１  上部カーブドレールスイッチ、１２  中間スカードガードスイッチ、１３  下部カーブドレールスイッチ、１４  下部スカートガードスイッチ、１５  下部ハンドカードスイッチ、１６  非常停止釦、１７  手摺停止釦、１９  制御手段、２０  故障検出手段、２１  映像制御手段、２２  第１のレコーダ、２３  第２のレコーダ、２４  第３のレコーダ、２５  モニター、２６  エスカレータ監視手段、２７  情報センター、２８  映像確認用モニター。
【図１】
2010222109.tif 000003
【図２】
2010222109.tif 000004
【図３】
2010222109.tif 000005